(57)【要約】【課題】発光装置に生体リズムの調整機能を持たせるために、青色光源として波長４４５〜４８０ｎｍの発光体を利用する場合、点灯中は常に生体リズムに影響を与えてしまう。【解決手段】発光装置は、赤色光を発するＬＥＤ１０３、緑色光を発するＬＥＤ１０４、発光ピーク波長が４７０ｎｍである青色光を発するＬＥＤ１０５、及び１０５よりピーク波長が短波長である青色光を発するＬＥＤ１０６をそれぞれ複数有している。ＬＥＤ１０５は、メラトニン抑制の効果により生体リズムに影響を与える青色光を発する。ＬＥＤ１０６は、ＬＥＤ１０５より短波長であるためにメラトニン抑制効果の弱い青色光を発する。発光装置においては、制御回路１０７により、ＬＥＤ１０５の点灯とＬＥＤ１０６の点灯とを切り替えることにより、状況に応じて効果的に生体リズムを調整することが可能な発光装置を提供する。【選択図】  図１
2005063687.tif 000002
【特許請求の範囲】
【請求項１】
青色光を発する第１発光体と、
該第１の発光体と異なる発光ピーク波長を持つ青色光を発する第２発光体と、前記第１及び第２発光体を選択的に点灯させる点灯制御手段とを備えていることを特徴とする発光装置。
【請求項２】
前記第１発光体が４４５ｎｍから４８０ｎｍに発光ピーク波長を持ち、前記第２発光体が前記第１発光体より短波長側に発光ピーク波長を持つことを特徴とする請求項１に記載の発光装置。
【請求項３】
赤色光を発する第３発光体と、
緑色光を発する第４発光体とをさらに備えていることを特徴とする請求項１又は２に記載の発光装置。
【請求項４】
前記第１乃至第４発光体が発光ダイオードであることを特徴とする請求項３に記載の表示装置。
【請求項５】
前記第１及び第２発光体が隣り合うように配置されることを特徴とする請求項１乃至４のいずれか１項に記載の発光装置。
【請求項６】
時刻情報を発生する時刻発生手段を備え、
前記点灯制御手段は、前記時刻情報を基に少なくとも前記第１発光体の点灯を制御することを特徴とする請求項１乃至４に記載の発光装置。
【請求項７】
情報を表示する表示手段と、
該表示手段に光を照射する光照射手段とを備え、
該光照射手段が請求項１乃至６のいずれか１項に記載の発光装置であることを特徴とする表示装置。
【請求項８】
複数種の発光体が画素を形成することにより前記発光装置で情報を表示する表示装置において、
請求項３乃至６のいずれか１項に記載の発光装置を備え、
前記複数種の発光体が前記第１乃至第４発光体であることを特徴とする表示装置。
【請求項９】
前記複数種の発光体がエレクトロルミネッセンスであることを特徴とする請求項８に記載の表示装置。
【請求項１０】
前記複数種の発光体が発光ダイオードであることを特徴とする請求項８に記載の表示装置。
【発明の詳細な説明】
【０００１】
【発明の属する技術分野】
本発明は、生体リズムに影響を与える発光装置及び表示装置に関するものである。
【０００２】
【従来の技術】
生体は体内に計時機構を持ち、生体機能に関する周期現象を制御していることが知られているが、周期現象の一つとしてサーカディアンリズムと呼ばれる２４から２５時間周期のリズムがある（非特許文献１参照）。サーカディアンリズムを示す代表的なものとしては睡眠と覚醒、体温変化などがあり、このリズムを１日の周期である２４時間周期に同調させる主要因子として、社会的要因や光環境が挙げられる。
【０００３】
現代社会の光環境を見ると、室内で過ごす時間が増加しているだけでなく、照明の発達により生活の夜型化が進んでおり、昼夜であまり明暗変化のない環境となっている。また、パソコンの普及により、夜間にディスプレイを使用する機会も増え、ディスプレイの光により１日中光を受けている環境となる。このため、２４時間周期への同調が崩れ、睡眠障害など健康を害する結果につながることが危惧されている。健康で快適な生活を送るためには、この生体リズムの位相が周囲の時間的な流れと一致し、振幅が大きく確保されることが必要とされており、生体リズムを整えるために様々な方法が提案されている。
【０００４】
生体リズムとして代表的なものである睡眠と覚醒のリズムには、メラトニンの分泌量が深く関係しており、覚醒時にはメラトニン分泌量は抑えられている。このメラトニンの分泌量に光が影響しており、発光波長４４０ｎｍから６００ｎｍの光に対してのメラトニン抑制度について調査したところ、特に波長４７０ｎｍ近傍の光がメラトニンの抑制効果が最も高いという実験結果が得られている（非特許文献２参照）。図８は、光の波長とメラトニンの抑制との関係を表したグラフである。このことを利用した提案として、睡眠障害などの治療に利用される特許文献１に記載の「光治療器」がある。
【０００５】
【非特許文献１】
「モデリングを通じた生体系特徴の時間生物学的理解」、計測と制御  第４１巻  第１０号、２００２年１０月
【０００６】
【非特許文献２】
“Ａｃｔｉｏｎ  Ｓｐｅｃｔｒｕｍ  ｆｏｒ  Ｍｅｌａｔｏｎｉｎ  Ｒｅｇｕｌａｔｉｏｎ  ｉｎ  Ｈｕｍａｎｓ：Ｅｖｉｄｅ−ｎｃｅ  ｆｏｒ  ａ  Ｎｏｖｅｌ  Ｃｉｒｃａｄｉａｎ  Ｐｈｏｔｏｒｅｃｅｐｔｏｒ”，  Ｔｈｅ  Ｊｏｕｒｎａｌ  ｏｆ  Ｎｅｕｒｏｓｃｉｅｎｃｅ，  Ａｕｇｕｓｔ  １５，  ２００１
【０００７】
【特許文献１】
特開平２−３０２２７６号公報
【０００８】
【発明が解決しようとする課題】
従来は、室内の照明として用いられる発光装置に生体リズムを調整する機能を持たせる場合、色温度を変化させるだけで、光源そのものの波長については考えられていなかった。室内照明用途でない特殊用途向けの光治療器といったものでは、光源の波長について考慮されているものがあるが、日常的に常時点灯して使うことは想定していなかったため、そのまま室内照明として利用すると、点灯中は常に生体リズムに影響を与えてしまうという問題点があった。
【０００９】
本発明は、上記問題点に鑑み、発光装置において、生体に影響を及ぼす発光体と、その発光体よりも短い発光ピーク波長を持つ発光体とを有し、この発光体を状況に応じて切り替えることにより、日常の使用においても容易に生体リズムの調整を可能とすること、さらには、発光装置及び表示装置において、生体リズムの調整を効果的に行えるようにすることを目的としている。
【００１０】
【課題を解決するための手段】
本発明の発光装置は、上記の課題を解決するために、青色光を発する第１発光体と、該第１の発光体と異なる発光ピーク波長を持つ青色光を発する第２発光体と、前記第１及び第２発光体を選択的に点灯させる点灯制御手段とを備えていることを特徴としている。
【００１１】
上記の構成においては、第１及び第２発光体という２種の青色光源を持ち、点灯制御手段により、これらの青色光源を選択的に点灯させるので、青色光源の発光波長が異なることにより、異なる色合いで発光装置を使用することが可能となる。
【００１２】
前記の発光装置においては、前記第１発光体が４４５ｎｍから４８０ｎｍに発光ピーク波長を持ち、前記第２発光体が前記第１発光体より短波長側に発光ピーク波長を持つことが好ましい。これにより、上記の発光ピーク波長の範囲で第１発光体を発光させることによりメラトニンの抑制が可能となる。
【００１３】
前記の発光装置においては、赤色光を発する第３発光体と、緑色光を発する第４発光体とをさらに備えることが好ましい。これにより、第１及び第２発光体のいずれか一方、もしくは両方と、第３及び第４発光体を利用することで、発光装置の光を白色光とすることが可能となる。
【００１４】
この発光装置においては、前記第１乃至第４発光体が発光ダイオードであることが好ましい。これにより、４つの発光ダイオードを光源として利用した場合、その発光強度のバランスをとることで、任意のホワイトバランスを得ることが可能となる。
【００１５】
前記の発光装置において、前記第１及び第２発光体が隣り合うように配置されることが好ましい。これにより、第１及び第２発光体の切り替えを行う際に、その影響の仕方が大きく変わらないようにすることができる。
【００１６】
前記の発光装置は、時刻情報を発生する時刻発生手段を備え、前記点灯制御手段が前記時刻情報を基に少なくとも前記第１発光体の点灯を制御することが好ましい。これにより、時刻情報を基に１日における所望の時間帯に第１発光体を点灯することができる。
【００１７】
本発明の表示装置は、情報を表示する表示手段と、該表示手段に光を照射する光照射手段とを備え、該光照射手段が前記のいずれかの発光装置であることを特徴としている。光照射手段としては、例えば、前記の発光装置が、複数の発光体を端面に備え各発光体からの光を混色して白色光を生成する導光板を備えたものであっても良い。光照射手段が前記の発光装置であることにより、生体リズム調整機能を持つ液晶ディスプレイなどを表示装置として提供することが可能となる。また、第２発光体と第１発光体を切り替えて使用することにより、第２発光体だけを青色光源として利用した場合に、生体に影響を与えることなく広い色再現範囲のもとで表示装置の使用が可能となる。
【００１８】
本発明の他の表示装置は、複数種の発光体が画素を形成することにより前記発光装置で情報を表示する表示装置において、前記第１乃至第４発光体を備えたいずれか１つの発光装置を備え、前記複数種の発光体が前記第１乃至第４発光体であることを特徴としている。これにより、複数種の発光体によるカラー表示可能な自発光型の表示装置を提供することができる。
【００１９】
この表示装置においては、前記複数種の発光体がエレクトロルミネッセンスであることが好ましい。これにより、エレクトロルミネッセンスを画素とする、有機ＥＬディスプレイや無機ＥＬディスプレイの提供が可能となる。あるいは、上記の表示装置においては、前記複数種の発光体が発光ダイオードであることが好ましい。これにより、発光ダイオードを画素とするＬＥＤディスプレイの提供が可能となる。
【００２０】
【発明の実施の形態】
〔実施形態１〕
本発明の第１の実施形態について図１に基づいて説明すれば以下の通りである。
【００２１】
図１は、本実施の形態に係る発光装置における実施形態の構成を概略的に示している。図１に示す発光装置は、光源と、光源からの光を拡散及び透過する拡散板１０１と、光源を保持する筐体１０２と、制御回路１０７とを備えている。発光装置は、光源となる発光体として、赤色（Ｒ）光を発するＬＥＤ１０３（第３発光体）、緑色（Ｇ）光を発するＬＥＤ１０４（第４発光体）、発光ピーク波長が４７０ｎｍである青色（Ｂ）光を発するＬＥＤ１０５（第１発光体）、及び１０５よりピーク波長が短波長である青色（Ｂ）光を発するＬＥＤ１０６（第２発光体）をそれぞれ複数有している。筐体１０２は、ＬＥＤ１０３，１０４，１０５，１０６を複数列に並ぶように配置された状態で保持するとともに、ＬＥＤ１０３〜１０６を駆動する図示しない駆動回路を備えている。
【００２２】
点灯制御手段としての制御回路１０７は、各ＬＥＤの発光強度を制御する指示を駆動回路に与えるとともに、ＬＥＤ１０５とＬＥＤ１０６とをいずれか一方が点灯するように切り替える指示を駆動回路に与える。駆動回路は、それらの指示に基づいて各ＬＥＤの発光強度を調整したり、ＬＥＤ１０５，１０６の点灯を切り替えたりする。
【００２３】
上記のように構成される発光装置においては、赤、青、緑の３色のＬＥＤを光源に用いることにより、白色光を発生する。まず、制御回路１０７の制御により３つのＬＥＤ１０３，１０４，１０５が点灯した状態では、発光波長４７０ｎｍであるＬＥＤ１０５の光が含まれることにより、室内の人に対してメラトニンの抑制効果を与え、覚醒の効果をもたらすことが可能となる。
【００２４】
しかし、常にＬＥＤ１０５が点灯した状態では、夜間などの睡眠前に覚醒の効果を与えることとなり、生体リズムに悪影響を及ぼす。そこで、夜間などの覚醒効果を与えたくない場合には、制御回路１０７の制御により、ＬＥＤ１０５を消灯し、ＬＥＤ１０６を点灯することで、メラトニン抑制効果を弱めて生体への悪影響を抑えた白色光による室内の照明が可能となる。このように、時間帯や状況に応じて青色光源の点灯を切り替えることにより、常に白色で照明を行いながら、効果的に生体リズムを調整することが可能となる。
【００２５】
また、ＬＥＤ１０５とＬＥＤ１０６とを隣り合うように配置することにより、ＬＥＤ１０５とＬＥＤ１０６との点灯の切り替えを行うとき、切り替えによる他の光への影響を最小限にし、色むらを低減することができる。また、ＬＥＤ１０５とＬＥＤ１０６とを選択的に点灯させるので、ＬＥＤ１０５，１０６の発光波長が異なることにより、異なる色合いで発光装置を使用することができる。
【００２６】
なお、図１において、理解を容易にするために各部品の大小関係を誇張して記載しており、各部品の大きさは実際とは異なる。また、ＬＥＤの配置や数については、各色の発光効率に従い、発光効率の低い色のＬＥＤの個数が多くてもよく、各色の配置を入れ替えても良い。
【００２７】
〔実施形態２〕
本発明の第２の実施形態について図２及び図３に基づいて説明すれば以下の通りである。
【００２８】
図２は、本発明に係る表示装置における第２の実施形態の構成を概略的に示している。本実施形態の説明において、実施の形態１における構成要素と同様の機能を持つ構成要素には同じ符号を付して、その説明を省略する。
【００２９】
図２に示す表示装置は、画像などの情報を表示する液晶パネル２０１（表示手段）と、液晶パネル２０１を背面から照射する導光板２０２と、導光板２０２に光を照射するバックライト装置２０３（発光装置）とを備えている。バックライト装置２０３は、光源となる発光体として、バックライトケースに一列に配列されたそれぞれ複数のＬＥＤ１０３〜１０６と、各ＬＥＤの発光強度を制御する制御回路１０７とを持つ。バックライトケースには、図示はしないが、ＬＥＤ１０３〜１０６を駆動する駆動回路が設けられている。
【００３０】
上記のように構成される表示装置において、液晶パネル２０１に光を照射する導光板２０２上で、光源からの光を混色し白色光にする必要がある。まず、覚醒の効果を得たい場合には、制御回路１０７の制御により、赤色光を発するＬＥＤ１０３と、緑色光を発するＬＥＤ１０４、及び発光ピーク波長が４７０ｎｍであるＬＥＤ１０５を点灯した状態にする。この３色を点灯することにより放射される光が、導光板２０２によって混色され白色光となる。この光を光源として、液晶パネル２０１がカラーフィルタを通る光を制御することで表示が行われる。このとき、４７０ｎｍの光が含まれることにより、表示装置の使用者にメラトニンの抑制効果を与える。メラトニンが抑制されることにより、使用者は覚醒の効果を得る。
【００３１】
また、夜間においては第１の実施形態と同様、制御回路１０７の制御により、点灯する青色発光体をＬＥＤ１０５からＬＥＤ１０６へと切り替える。これにより、生体リズムに及ぼす悪影響を抑える白色光による表示が行われる。
【００３２】
ＬＥＤ１０５を点灯する覚醒時における表示装置の色再現範囲を見ると、ＬＥＤ１０５は波長が長く緑に近い青のため、青の色相が緑寄りになり、色再現範囲が低下するという問題がある。図３の（ａ）は、このとき使用する３つのＬＥＤの色度座標から求めた色度図である。図中のＲ，Ｇ，ＢはそれぞれＬＥＤ１０３，１０４，１０５の色度座標を示している。色再現の規格であるｓＲＧＢの色度図と比較すると、青の座標がグラフの上方へ外れていることがわかる。これは、青色が緑に近い方に寄っており、深い青色を表現できないということを意味する。
【００３３】
この問題を防ぐために、覚醒の効果を得たい時を除いた通常時には、点灯する青色発光体を切り替える。すなわち、制御回路１０７の制御により、発光ピーク波長４７０ｎｍのＬＥＤ１０５を消灯し、それより短波長の発光ピークを持つＬＥＤ１０６を点灯する。これにより、通常時にはＬＥＤを用いた従来のディスプレイと同じ広い色再現範囲を得ることが可能となる。このときの色度図を図３の（ｂ）に示す。図３の（ｂ）の場合、図３の（ａ）の場合と比較すると、青の座標は下方にあり、より色純度の高い青色を表現可能であることを意味している。また、ＬＥＤ１０５とＬＥＤ１０６とを隣り合うように配置することにより、ＬＥＤ１０５とＬＥＤ１０６との点灯の切り替えを行うとき、切り替えによる他の光への影響を最小限にし、色むらを低減することができる。
【００３４】
以上のように、青色発光体の切り替えを行うことにより、生体リズムの調整を効果的に行うことが可能となるとともに、状況に応じて広い色再現範囲のもとでディスプレイを使用することも可能となる。
【００３５】
なお、図２において、理解を容易にするために各部品の大小関係を誇張して記載しており、各部品の大きさは実際とは異なる。また、ＬＥＤの配置や数については、輝度を高めるため発光効率の良い色の個数を増やしても良く、各色の配置を入れ替えても良い。また、照明手段として実施形態１に示す導光板を用いることのない直下型の照明を用いても良い。
【００３６】
〔実施形態３〕
本発明の第３の実施形態について図４及び図５に基づいて説明すれば以下の通りである。
【００３７】
図４は、本発明に係る表示装置における第３の実施形態の構成を概略的に示している。図４（ａ）に示す表示装置は、画像などの情報を表示する有機ＥＬ（エレクトロルミネッセンス）パネル４０１と、有機ＥＬパネル４０１の各画素の電流を制御する制御回路４０２を備えている。
【００３８】
有機ＥＬパネル４０１の断面構造を図４（ｂ）に示す。図４（ｂ）に示すように、有機ＥＬパネル４０１は多数の画素を持ち、ガラス基板４０３と、陽極４０４と、赤色に発光する有機層４０５（第３発光体）と、緑色に発光する有機層４０６（第４発光体）と、発光波長が４７０ｎｍとなる光（青色）を発する有機層４０７（第１発光体）と、有機層４０７に対して発光波長がより短波長である光（青色）を発する有機層４０８（第２発光体）と、陰極４０９とで構成される。また、有機ＥＬパネル４０１には、図示はしないが、画素を駆動する駆動回路が設けられている。
【００３９】
制御回路４０２は、表示データや画素の駆動タイミングのためのコントロール信号を上記の駆動回路に供給する回路である。点灯制御手段としての制御回路４０２は、予め定められたプログラム又は外部からの指示によって後述する有機層４０７，４０８の発光パターンを後述のように制御する。
【００４０】
まず、上記のように構成される表示装置において、覚醒の効果を得たい場合、赤色に発光する有機層４０５と、緑色に発光する４０６と、発光波長が４７０ｎｍとなる青色に発光する有機層４０７とでカラー表示を行う。このとき、制御回路４０２の制御により発光波長４７０ｎｍの有機層４０７を使用することにより、メラトニンの抑制効果が得られ、表示装置の使用者に覚醒の効果を与えることが可能となる。
【００４１】
しかし、この場合、ディスプレイの色再現範囲は実施形態２と同様に色再現範囲が低下するという問題があるため、通常時には、発光波長４７０ｎｍの有機層４０７を用いず、制御回路４０２による制御で、より短波長である有機層４０８を使用して、有機層４０５，４０６，４０８の３色によりカラー表示を行うことで、広い色再現範囲を得ることを可能とする。
【００４２】
また、次のような別の発光パターンが考えられる。通常時および覚醒の効果を得たい際には、制御回路４０２の制御により、有機層４０５，４０６，４０７，４０８の４色すべてを用いて、４原色の表示装置として利用することにより、通常の３原色の場合よりも広い色再現範囲を持つ表示装置として使用する。ただし、この場合では常に発光波長４７０ｎｍの波長を利用しているため、使用者に常に覚醒効果を与えることになる。そのため、通常時の中でも、夜間の睡眠前などには、発光波長４７０ｎｍの有機層４０７を使用せず、残りの３色でカラー表示を行うことで、生体リズムに悪影響を与えるのを防ぐことも考えられる。
【００４３】
上記の４原色をもちいた場合の色度図を図５に示す。この場合、ｓＲＧＢの色度座標を完全にカバーしており、広い色再現範囲を示していることがわかる。これにより、ＬＥＤ１０５のみを青光源として利用した時に比べ、色純度の高い青色を表現可能となるとともに、より多くの色が表現可能となる。
【００４４】
なお、図４において、理解を容易にするために各部品の大小関係を誇張して記載しており、各部品の大きさは実際とは異なる。また、４原色の表示装置として利用する場合、制御回路４０２の制御により、通常時はすべて３原色でカラー表示を行い、覚醒時のみ４原色で表示しても良い。また、制御回路４０２により、発光パターンを３原色と４原色との間で切り替えるようにし、例えば、通常時でも４原色表示が可能となるような発光パターンを制御回路４０２に設定しても良い。
【００４５】
また、図４（ｂ）に示した有機ＥＬパネル４０１は、４色の独立発光形式を示しているが、有機層は青などの単色を発し、蛍光体を利用して色変換を行う色変換方式でも良く、あるいは、有機層が白色を発し、それをフィルタを用いることでカラー表示するカラーフィルタ方式でも良い。また、有機ＥＬの代わりに無機ＥＬを用いても良い。また、有機ＥＬではなく、各色を発光する発光体にＬＥＤを用いたＬＥＤディスプレイでもよい。また、有機ＥＬパネル４０１の代わりに、４色のバックライトの光源と、その４色に対応したカラーフィルタとを備えてカラー表示する多原色液晶ディスプレイを用いても良い。
【００４６】
〔実施形態４〕
本発明の第４の実施形態について図６及び図７に基づいて説明すれば以下の通りである。なお、本実施形態における構成要素で、実施形態１乃至３と同様の機能を持つ構成要素そには同じ符号を付して、その説明を省略する。
【００４７】
図６は、本発明に係る表示装置における第４の実施形態の構成を概略的に示している。
【００４８】
本実施形態に係る表示装置は、実施形態１の表示装置と同様、液晶パネル２０１と、液晶パネル２０１を照射する導光板２０２と、ＬＥＤ１０３〜１０６と、制御回路１０７とを備えており、さらに時刻情報を出力する時刻発生回路６０１を備えている。
【００４９】
時刻発生手段としての時刻発生回路６０１は、いわゆる時計回路であって時刻情報を発生する。
【００５０】
制御回路１０７は、基本的には、第２の実施形態における制御回路１０７と同等の機能を有するが、ここでは、さらに、時刻発生回路６０１からの時刻情報に基づいた後述のような各種の発光パターンの制御を行う。
【００５１】
本実施形態において、覚醒の効果を得たい場合、制御回路１０７の制御により、赤色ＬＥＤ１０３、緑色ＬＥＤ１０４、発光波長４７０ｎｍのＬＥＤ１０５に加えて、発光波長４７０ｎｍよりも短波長のＬＥＤ１０６を点灯し、導光板２０２上で白色光を発生させる。覚醒の効果を得るために発光波長４７０ｎｍのＬＥＤ１０５を点灯する必要があるが、ＬＥＤ１０５だけを青色光源として利用する場合色再現範囲が低下するため、ＬＥＤ１０６も点灯することにより色再現範囲の低下を最小限に抑える。覚醒時においては、ＬＥＤ１０３，１０４，１０６の三色で白色光を生成して表示を行う。
【００５２】
また、実施形態２に示すように、覚醒時と通常時とでＬＥＤ１０５とＬＥＤ１０６とを切り替えて使用する場合、切り替えることで混合した白色のバランスが崩れて色合いが大きく変わるという問題点がある。しかし、このようにＬＥＤ１０５，１０６の両方を点灯した場合には、それぞれの発光強度を調整することで任意の白色点とすることが可能となる。そのため、覚醒時と通常時とで色合いが変わるのを最小限に抑えることが可能となる。
【００５３】
また、時刻発生回路６０１を備えることから、時刻発生回路６０１より現在の時刻情報を得て、この情報を元に制御回路１０７により発光パターンを覚醒時と通常時とで切り替えることが可能となる。例えば、現在時刻が午前や日中といった時間であれば、覚醒時の条件で使用し、深夜であれば生体リズムに悪影響を与えないよう通常時の条件で使用するといったことを自動で行うことが可能となる。
【００５４】
図７は、時刻に基づく制御回路１０７による発光パターンの制御の一例を示している。ここでは、８時から２４時までの間ディスプレイを使用するものとしている。８時から１９時までは、覚醒の効果を得るために、ＬＥＤ１０５を強く発光している。それと同時に、ＬＥＤ１０６も発光し、その他の色の発光強度も調節することにより、通常時と同じホワイトバランスを保ちつつ、覚醒の効果も得ている。夜間においては、ＬＥＤ１０６のみを利用し、生体リズムに悪影響を及ぼすことなく、ディスプレイを使用することとなる。
【００５５】
なお、図６において、理解を容易にするために各部品の大小関係を誇張して記載しており、各部品の大きさは実際とは異なる。また、時刻情報を元に発光体を制御する場合にも、覚醒時であっても手動で通常時の条件で使えるように制御回路１０７に指示を与える手段や、どの時刻に覚醒時の条件で利用するかといったパターンを制御回路１０７に入力する手段があっても良い。
【００５６】
本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００５７】
【発明の効果】
本発明の発光装置は、以上のように、青色光を発する第１発光体と、該第１の発光体と異なる発光ピーク波長を持つ青色光を発する第２発光体と、前記第１及び第２発光体を選択的に点灯させる点灯制御手段とを備えている構成である。
【００５８】
これにより、第１及び第２発光体という２種の青色光源を点灯制御手段で選択的に点灯させるので、状況に応じた異なるパターンで発光装置の使用が可能となる。したがって、生体リズムの調整を効果的に行うことができるという効果を奏する。
【００５９】
前記の発光装置においては、前記第１発光体が４４５ｎｍから４８０ｎｍに発光ピーク波長を持ち、前記第２発光体が前記第１発光体より短波長側に発光ピーク波長を持つことにより、上記の発光ピーク波長の範囲で第１発光体を発光させることによりメラトニンの抑制が可能となる。したがって、発光装置の使用者に覚醒の効果をもたらすことができる。
【００６０】
前記の発光装置においては、赤色光を発する第３発光体と、緑色光を発する第４発光体とをさらに備えることにより、第１及び第２発光体のいずれか一方、もしくは両方と、第３及び第４発光体を利用することで、発光装置の光を白色光とすることが可能となる。したがって、発光装置を照明や表示装置用バックライトなどに容易に用いることができるという効果を奏する。
【００６１】
この発光装置においては、前記第１乃至第４発光体が発光ダイオードであることにより、４つの発光ダイオードを光源として利用した場合、その発光強度のバランスをとることで、任意のホワイトバランスを得ることが可能となる。したがって、第１及び第２発光体を選択的に点灯させる場合で異なる色再現範囲のずれを調整することができるという効果を奏する。
【００６２】
前記の発光装置において、前記第１及び第２発光体が隣り合うように配置されることにより、第１及び第２発光体の切り替えを行う際に、その影響の仕方が大きく変わらないようにすることができる。したがって、第１及び第２発光体の点灯を切り替える前後での光の色むらを抑えることが可能になるという効果を奏する。
【００６３】
前記の発光装置は、時刻情報を発生する時刻発生手段を備え、前記点灯制御手段が前記時刻情報を基に少なくとも前記第１発光体の点灯を制御することにより、時刻情報を基に１日における所望の時間帯に第１発光体を点灯することができる。したがって、使用者が意識することなく自動で生体リズムを調整することが可能となる。
【００６４】
本発明の表示装置は、情報を表示する表示手段と、該表示手段に光を照射する光照射手段とを備え、該光照射手段が前記のいずれかの発光装置である構成である。これにより、生体リズム調整機能を持つ液晶ディスプレイなどを表示装置として提供することが可能となる。また、第２発光体と第１発光体を切り替えて使用することにより、第２発光体だけを青色光源として利用した場合に、生体に影響を与えることなく広い色再現範囲のもとで表示装置の使用が可能となる。
【００６５】
本発明の他の表示装置は、複数種の発光体が画素を形成することにより前記発光装置で情報を表示する表示装置において、前記第１乃至第４の発光体を備えたいずれか１つの発光装置を備え、前記複数種の発光体が前記第１乃至第４発光体である構成である。
【００６６】
これにより、複数種の発光体によるカラー表示可能な自発光型の表示装置を提供することができる。したがって、４色以上で画素を形成することで多原色の表示装置を得ることができるという効果を奏する。
【００６７】
この表示装置においては、前記複数種の発光体がエレクトロルミネッセンスであることにより、エレクトロルミネッセンスを画素とする、有機ＥＬディスプレイや無機ＥＬディスプレイの提供が可能となる。あるいは、上記の表示装置においては、前記複数種の発光体が発光ダイオードであることにより、発光ダイオードを画素とするＬＥＤディスプレイの提供が可能となる。
【図面の簡単な説明】
【図１】本発明の第１の実施形態に係る発光装置の概略構成を示す斜視図である。
【図２】本発明の第２の実施形態に係る表示装置の概略構成を示す斜視図である。
【図３】（ａ）及び（ｂ）は図２の表示装置の色再現範囲を示す色度図である。
【図４】（ａ）は本発明の第３の実施形態に係る表示装置の概略構成を示す斜視図であり、（ｂ）はその表示装置における有機ＥＬパネルの構造を示す断面図である。
【図５】図４の表示装置の色再現範囲を示す色度図である。
【図６】本発明の第４の実施形態に係る表示装置の概略構成を示す斜視図である。
【図７】図６の表示装置の時刻に応じたＬＥＤの発光パターンを示す図である。
【図８】光の波長とメラトニンの抑制との関係を示すグラフである。
【符号の説明】
１０１          拡散板
１０３          ＬＥＤ（第３発光体）
１０４          ＬＥＤ（第４発光体）
１０５          ＬＥＤ（第１発光体）
１０６          ＬＥＤ（第２発光体）
１０７          制御回路（点灯制御手段）
２０１          液晶パネル（表示手段）
２０２          導光板
２０３          バックライト装置（発光装置）
４０１          有機ＥＬパネル
４０２          制御回路（点灯制御手段）
４０５          有機層（第３発光体）
４０６          有機層（第４発光体）
４０７          有機層（第１発光体）
４０８          有機層（第２発光体）
６０１          時刻発生回路（時刻発生手段）
【図１】
2005063687.tif 000003
【図２】
2005063687.tif 000004
【図３】
2005063687.tif 000005
【図４】
2005063687.tif 000006
【図５】
2005063687.tif 000007
【図６】
2005063687.tif 000008
【図７】
2005063687.tif 000009
【図８】
2005063687.tif 000010